(57)【要約】【課題】不正な開錠による異常を確実に検知するとともに、住居者がメカキーによって開錠した場合における誤検知を防止するインターホンシステムを提供する。【解決手段】宅内に設置されたインターホン親機１の動作モードが警戒モード時において、非接触キーリーダ２１がキーコードを取得し、照合部２３が予め登録されたキーコードと照合して無効との照合結果をインターホン親機１に出力する。その後、電気錠２２が開錠され、電気錠制御部２４が開錠信号をインターホン親機に出力すると、インターホン親機１の動作モードは一時解除モードに切替り、異常検出センサ４による異常検知は行われなくなる。その後、モード設定部１７が操作されずに所定の時間経過すると、インターホン親機１の動作モードは再び警戒モードに切替り、異常検出センサ４、５によって異常検知が行われる。【選択図】図１
2010226347.tif 000002
【特許請求の範囲】
【請求項１】
宅外に設置されたドアホン子器との間で通話を行う通話手段を具備し宅内に配置されるインターホン親機と、
防犯用の異常検知を行うための１つまたは複数の異常検出センサと、
所定の扉に設けられた電気錠の開錠を検知し、開錠信号を出力する開錠検知手段と、
前記電気錠の施開錠を行うための認証情報を取得する情報取得手段と、
前記認証情報の有効無効を照合するとともに照合結果を出力する情報照合手段と、
前記照合結果に応じて前記電気錠を施開錠する電気錠制御手段とを備え、
前記インターホン親機は、異常検出センサの異常検知に応じて警報を発する警戒モード、異常検出センサが異常を検知しても警報を発しない解除モード、所定の一時解除時間が経過するまでの間は異常検知センサが異常を検知しても警報を発しない一時解除モードの何れかに切替えるモード切替手段を有し、
前記モード切替手段は、警戒モードで動作中に、前記情報照合手段から有効を示す照合結果が入力されると、動作モードを解除モードに切り替え、前記情報照合手段から無効を示す照合結果が入力された状態、もしくは、前記情報照合手段からの照合結果が入力されていない状態の何れかの状態で前記開錠信号が入力されると、動作モードを一時解除モードに切り替えることを特徴とするインターホンシステム。
【発明の詳細な説明】
【技術分野】
【０００１】
本発明は、セキュリティ機能を有するインターホンシステムに関するものである。
【背景技術】
【０００２】
住宅やビルに設置されるセキュリティ機能を有するインターホンシステムとして、例えば、特許文献１に記載されたセキュリティシステムがある。
【０００３】
この特許文献１に記載されたセキュリティシステムは、防犯用の異常検出を行う異常検出センサと、扉の施錠・開錠を行う電気錠と、ＩＤカードなどの非接触タグと通信可能なドアホン子器と、ドアホン子器との間で通話を行うインターホン親機とで構成されている。このセキュリティシステムでは、居住者がインターホン親機の設定部を用いて異常検出センサに異常検出を行わせるセキュリティモードに移行させる操作を行った後、所定の遅延時間が経過するまでの間に、ドアホン子器が非接触タグのＩＤ情報を取得すると電気錠が施錠されるとともにインターホン親機をセキュリティモードに設定され、確実にセキュリティモードに設定することができる。
【０００４】
また電気錠の開錠時には、ドアホン子器が非接触タグのＩＤ情報を取得し、予め登録されたＩＤ情報と照合して、登録されたＩＤ情報と一致していれば、電気錠を開錠させるとともに、インターホン親機のセキュリティモードを解除する。
【先行技術文献】
【特許文献】
【０００５】
【特許文献１】特許３９９４９１９号
【発明の概要】
【発明が解決しようとする課題】
【０００６】
ところで、例えば居住者がＩＤカードを紛失したり、ＩＤカードによる認証に失敗した場合など、居住者がＩＤカードで開錠せず、メカキーによって開錠する場合がある。
【０００７】
特許文献１においては、メカキーによって開錠した場合の動作について何ら記載はないが、メカキーによる開錠時には警戒モードから解除モードに切替らないのであれば、住居者を侵入者として誤検知してしまうという問題がある。また、メカキーによる開錠時においても警戒モードが解除モードに切替わるのであれば、例えばピッキングなどによって開錠された場合であっても、異常を検知することができないという問題がある。
【０００８】
本発明は、上記事由に鑑みて為されたものであり、その目的とするところは、不正な開錠による異常を確実に検知するとともに、住居者がメカキーによって開錠した場合における誤検知を防止するインターホンシステムを提供することにある。
【課題を解決するための手段】
【０００９】
上記目的を達成するために、請求項１の発明では、宅外に設置されたドアホン子器との間で通話を行う通話手段を具備し宅内に配置されるインターホン親機と、防犯用の異常検知を行うための１つまたは複数の異常検出センサと、所定の扉に設けられた電気錠の開錠を検知し、開錠信号を出力する開錠検知手段と、前記電気錠の施開錠を行うための認証情報を取得する情報取得手段と、前記認証情報の有効無効を照合するとともに照合結果を出力する情報照合手段と、前記照合結果に応じて前記電気錠を施開錠する電気錠制御手段とを備え、前記インターホン親機は、異常検出センサの異常検知に応じて警報を発する警戒モード、異常検出センサが異常を検知しても警報を発しない解除モード、所定の一時解除時間が経過するまでの間は異常検知センサが異常を検知しても警報を発しない一時解除モードの何れかに切替えるモード切替手段を有し、前記モード切替手段は、警戒モードで動作中に、前記情報照合手段から有効を示す照合結果が入力されると動作モードを解除モードに切り替え、前記情報照合手段から無効を示す照合結果が入力された状態、もしくは、前記情報照合手段からの照合結果が入力されていない状態の何れかの状態で前記開錠信号が入力されると、動作モードを一時解除モードに切り替えることを特徴とする。
【発明の効果】
【００１０】
請求項１の発明によれば、インターホン親機が警戒モードで動作している際に、メカキーで電気錠を開錠されると、動作モードが一時解除モードに切り替えられ、所定の一時解除時間が経過するまでの間は異常検出センサが異常を検出しても報知されないので、帰宅した居住者が侵入者として誤検知されることを防止できる。また、所定の一時解除時間が経過するまでの間に、一時解除モードから解除モードにモード切替操作が行われなければ、全ての異常検出センサが異常を検知する警戒モードに移行するので、ピッキングなどによって不正に開錠された場合には、異常を確実に検知することができる。
【図面の簡単な説明】
【００１１】
【図１】本発明の実施の形態にかかるインターホンシステムを示すブロック図である。
【図２】（ａ）及び（ｂ）は、同インターホンシステムの動作を示すフローチャートである。
【発明を実施するための形態】
【００１２】
以下に本発明の実施の形態を図１及び図２に基づいて説明を行う。
【００１３】
本実施の形態にかかるインターホンシステムは、図１に示すとおり、屋内に配置されたインターホン親機１と、玄関扉に設けられた電気錠２２の開錠、施錠を制御する電気錠システム２と、玄関扉の近傍に設置されてインターホン親機１との間で通話を行うドアホン子器３と、異常を検知する異常検出センサ４、５とを備えている。
【００１４】
異常検出センサ４、５は、例えば、窓の開閉を検知する開閉検知センサ、窓ガラスへの衝撃や破壊を検知する衝撃センサ、赤外線や熱を感知して人体の存在を検知する人体検知センサなどであり、その機能に応じて宅内・宅外の適所に設置される。また、異常検出センサ４は警報信号を信号線Ｌ３を介して出力する有線式のセンサであり、異常検出センサ５は警報信号を電波に変調して異常検出センサ５の周囲に出力する無線式のセンサである。
【００１５】
インターホン親機１は、インターホン親機１に接続された各機器（ドアホン子器３、異常検出センサ４、５）との通信を制御する制御部１０と、インターホン親機１の表面に設けられたスピーカ１５及びマイクロホン１６と、信号線Ｌ１を介してドアホン子器３が接続される親機通話部１４とを備えている。ドアホン子器３は、親機通話部１４との間で、例えば周波数多重化によって音声信号、制御信号の授受をしており、ドアホン子器３を来訪者が操作することでインターホン親機１が呼び出され、スピーカ１５及びマイクロホン１６とドアホン子器３との間で通話が行われる。なお、ドアホン子器３及び通話方法については既知の技術であるので、詳細な説明は省略する。
【００１６】
また、インターホン親機１は、異常検出センサ４からの警報信号を受信する警報受信部１２と、異常検出センサ５から無線送信された電波を受信し、警報信号に復調する無線受信部１３とを備える。異常検出センサ４、５の何れかで異常が検知され、警報受信部１２に警報信号が入力される、もしくは、無線受信部１３が警報信号を含む電波を受信すると、制御部１０は、例えばスピーカ１５から警告音を発生させ、予め設定された通報先に異常を通報するなどして、居住者や周囲に異常が発生したことを報知する。
【００１７】
インターホン親機１は、その動作モードとして、異常検出センサ４、５からの警報信号を受信すると、上述したような異常を周囲に報知する警戒モード、異常検出センサ４、５からの警報信号を受信しても周囲に異常を報知しない解除モード、及び、例えば玄関扉からインターホン親機１までの移動経路に配設された異常検出センサ４、５から警報信号を受信した場合には異常を報知せず、窓ガラスに設置された異常検出センサ４、５から警報信号を受信した場合には居住者及び周囲に異常を報知する一時解除モードがある。なお、動作モードが一時解除モードに切り替えられてから、所定の一時解除時間が経過するまでの間に動作モードの切り替えが行われなければ、動作モードは制御部１０によって警戒モードに切り替えられる。
【００１８】
また、インターホン親機１は、インターホン親機１の表面に設けられた押ボタン（図示せず）を有するモード設定部１７を備え、押しボタンの操作に応じて警戒モード、解除モード、一時解除モードの何れかの動作モードから、警戒モード、解除モードのそれぞれに替えることができる。
【００１９】
インターホン親機１は、信号線Ｌ２を介して接続される電気錠システム２と接続された電気錠通信部１１を備えており、電気錠２２が開錠されると、電気錠システム２から開錠信号が電気錠通信部１１に入力される。
【００２０】
電気錠システム２は、居住者が携帯するキーカード（図示せず）に記憶されたキーコードを非接触で読み取る非接触キーリーダ２１と、非接触キーリーダ２１で取得したキーコードに基づいて、予め登録されたキーコードと照合して有効・無効を判断する照合部２３と、照合部２３での照合結果に応じて電気錠２２を開錠させる電気錠制御部２４とを備える。
【００２１】
非接触キーリーダ２１は、電気錠２２の近傍に設けられ、居住者がキーカードを非接触キーリーダ２１の表面に近づけると、キーカードに設けられたＩＣチップに交流磁界を発生させ、振幅偏移変調などの方式でＩＣチップ内に予め記憶されたキーコードを非接触キーリーダ２１が受信する。
【００２２】
照合部２３は、非接触キーリーダ２１からのキーコードを予め登録されたキーコードと一致するか照合を行い、その照合結果が有効・無効のいずれであるかに関わらず、照合結果をインターホン親機１に出力する。また、照合結果が有効であれば、電気錠制御部２４に有効な照合結果を出力して、電気錠制御部２４に電気錠２２を開錠させる。
【００２３】
ここで、居住者が帰宅してキーカードにより開錠する場合の動作について、図２（ａ）に示すフローチャートを用いて説明する。なお、居住者が外出前にモード設定部１７を操作して、インターホン親機１が警戒モードに設定されており、電気錠２２は施錠され、非接触キーリーダ２１はキーカードとの通信待ち状態にある（処理Ｓ１）。
【００２４】
住居人が帰宅し、非接触キーリーダ２１にキーカードを近づけると、非接触キーリーダ２１がキーカード内のキーコードを取得する（処理Ｓ２のＹＥＳ）。照合部２３は非接触キーリーダ２１が取得したキーコードが、予め登録されたキーコードと照合する（処理Ｓ３）。照合部２３によって、登録されたキーコードと一致せず、照合結果が無効であると判定された場合には、再度、非接触キーリーダ２１にキーカードが近づけられるまで待機する（処理Ｓ３のＮＯ）。
【００２５】
照合部２３での照合結果が有効であれば、電気錠制御部２４を介して電気錠２２の施錠状態を確認し（処理Ｓ４）、電気錠２２が施錠状態であれば（処理Ｓ４のＹＥＳ）、インターホン親機１の動作モードを確認する（処理Ｓ５）。ここで、インターホン親機１の動作モードは警戒モードに設定されているので（処理Ｓ５のＹＥＳ）、電気錠制御部２４が電気錠２２に制御信号を出力して電気錠２２を開錠し（処理Ｓ７）、照合部２３がインターホン親機１に制御信号を出力する。インターホン親機１の制御部１０は、照合部２３からの照合結果に応じて動作モードを解除モードに切替える（処理Ｓ８）。なお、居住者が外出時に動作モードを警戒モードに切替えずに外出したような場合は（処理Ｓ５のＮＯ）、電気錠制御部２４が電気錠２２に制御信号を出力して電気錠２２を開錠させる（処理Ｓ７）。
【００２６】
次に、居住者が帰宅し、何らかの理由によりキーカードを使用せず、メカキーを使用して開錠する場合の動作について、図２（ｂ）に示すフローチャートを用いて説明する。なお、インターホン親機１は、居住者が外出前にモード設定部１７を操作し、警戒モードに設定されている（処理Ｓ１０）。
【００２７】
居住者が帰宅し、メカキーを用いて電気錠２２の開錠操作を行うと（処理Ｓ１１）、電気錠制御部２４が開錠信号をインターホン親機１に出力する（処理Ｓ１２）。インターホン親機１の制御部１０は、電気錠通信部１１に開錠信号が入力されると、インターホン親機１の動作モードを確認し（処理Ｓ１３）、インターホン親機１は警戒モードで動作中であれば、動作モードを一時解除モードに切替える（処理Ｓ１４）。これにより、例えば玄関扉とインターホン親機１の間に設置された異常検出センサ４、５が、帰宅した居住者を検出して警報信号を出力した場合であっても、インターホン親機１は周囲に異常を報知しない。
【００２８】
その後、居住者が屋内に入り、インターホン親機１のモード設定部１７を操作し、動作モードを解除モードに切替えると（処理Ｓ１５のＹＥＳ）、全ての異常検出センサ４、５での異常検知が行われなくなる。ここで、動作モードが解除モードに切替られなければ（処理Ｓ１５のＮＯ）、開錠信号を受信してから所定の時間経過するまで動作モードの切替を待機する（処理Ｓ１６）。その後、所定時間経過しても解除モードに切替えられなければ（処理Ｓ１６のＹＥＳ）、動作モードを警戒モードに切り替え（処理Ｓ１７）、全ての異常検出センサ４、５で異常検知が行われるようになる。
【００２９】
このようにして、居住者がメカキーを用いて開錠した場合には、異常検出センサ４が一時的に異常を検知しない一時解除モードに設定されるので、モード設定部１７を操作するために、居住者が宅内に入っても異常検知されることを防止できる。また、所定時間経過すると全ての異常検出センサ４、５が異常検知を行う警戒モードに切替えられるので、ピッキングなどによって開錠された場合には、確実に異常を検知することができる。
【００３０】
なお、本実施の形態においては、電気錠の施開錠２２を制御する電気錠制御部２４及びキーコードの照合を行う照合部２３を、インターホン親機１と別体とし、それぞれを電気錠システム２内に設けた形態について説明を行ったが、インターホン親機１に照合部２３、電気錠制御部２４を設けるようにしてもよい。
【００３１】
また、情報取得手段として、ＩＣチップを用いたキーカードを使用する非接触キーリーダを用いた形態について説明を行ったが、例えば暗証番号を入力させるようなものや、磁気カードを用いて情報を取得するようなものでもよい。
【符号の説明】
【００３２】
１          インターホン親機
１４        親機通話部（通話手段）
１５        マイクロホン（通話手段）
１６        スピーカ（通話手段）
１７        モード設定部
２          電気錠システム
２１        非接触キーリーダ（情報取得手段）
２２        電気錠
２３        照合部（情報照合手段）
２４        電気錠制御部（開錠検知手段）
３          ドアホン子器
４          異常検出センサ
５          異常検出センサ
【図１】
2010226347.tif 000003
【図２】
2010226347.tif 000004